(57)【特許請求の範囲】
【請求項１】
曲げることができる材料から構成される曲面で形成された歯科用マウスピースであって、
前記曲面の中央における本体部と、
前記本体部に接続された口角鉤部と、
真空吸引源に前記本体の内側部分を接続するための吸引コネクタ部であって、前記口角鉤部とは反対側の端部において前記本体部に接続された吸引コネクタ部とを含み、
前記本体部は、前記曲面の内側の前壁、前記曲面の外側の後壁、及び前記前壁と前記後壁の間にある側壁を有する所定のポケットを備え、前記前壁、前記後壁、及び前記側壁は、前記所定のポケットの内側部分を画定し、
前記後壁は、前記後壁の内面から突出した波形状のブリッジ構造を含み、突出した前記ブリッジ構造は、吸引時に前記前壁を前記後壁から分離された状態に保つ離間した複数の接触点を備え、
前記離間した複数の接触点は、前記波形の頂部にあり、前記離間した複数の接触点の間の前記波形の谷部は、前記ブリッジ構造を通して吸引を可能にし、
前記口角鉤部は、当該歯科用マウスピースが曲げられたときに圧力を加える表面を有し、前記圧力は前記曲げることができる材料の弾性にもとづくことを特徴とする歯科用マウスピース。
【請求項２】
前記側壁が複数の穿孔を含む請求項１に記載のマウスピース。
【請求項３】
前記前壁及び後壁のそれぞれが複数の穿孔を含む請求項１に記載のマウスピース。
【請求項４】
前記前壁はさらに中心軸に沿ったスリットを含む請求項１に記載のマウスピース。
【請求項５】
前記後壁の内面から突出する安定バーをさらに含み、前記安定バーの厚さは、当該歯科用マウスピースの曲げ時に安定性を強化する請求項１に記載のマウスピース。
【請求項６】
前記本体部、前記口角鉤部、及び前記吸引コネクタ部が一体に射出成形される請求項１に記載のマウスピース。
【請求項７】
前記材料は、可撓性があり、半透明であり、高耐熱性であり、高圧蒸気滅菌処理可能である、シリコーン系材料である請求項１に記載のマウスピース。
【請求項８】
前記吸引コネクタ部は、前記真空吸引源またはバキュームアダプタの位置決めを支援するための内部留め具を含む請求項１に記載のマウスピース。
【請求項９】
取り外し可能な開口器をさらに含む請求項１に記載のマウスピース。
【請求項１０】
前記取り外し可能な開口器は、前記吸引コネクタ部の周囲に嵌合するように構成されたストラップを含み、前記吸引コネクタ部の外面は前記ストラップに対応する切り欠き領域を含み、前記ストラップが前記切り欠き領域に位置するとき、前記ストラップの外面は前記吸引コネクタ部の残りの外表面とほぼ同一平面にある請求項９に記載のマウスピース。
【請求項１１】
前記ストラップおよび前記開口器の他の部分は一体射出成形される請求項１０に記載のマウスピース。
【請求項１２】
前記吸引コネクタ部はさらに、前記開口器の開口部に対応した外部プラグ突起部を含む請求項９に記載のマウスピース。
【請求項１３】
前記プラグ突起部は、さらなる破砕耐性を提供し、圧縮性を低下させるために前記開口部に嵌合する請求項１２に記載のマウスピース。
【請求項１４】
前記吸引コネクタ部は、連結嵌合のためにバキュームアダプタ上の突出部に対応する切欠部を含む請求項１に記載のマウスピース。
【請求項１５】
前記前壁及び前記後壁は異なる厚さを有する請求項１に記載のマウスピース。
【請求項１６】
前記本体部は、第１端部において前記吸引コネクタ部と接続されるベース部と、前記ベース部の前記第１端部とは反対にある前記ベース部の第２端部に接続される口角鉤コネクタ部とを含み、
前記口角鉤コネクタ部は前記ベース部よりも狭く、前記口角鉤部は前記口角鉤コネクタ部において前記本体部と接続する請求項１に記載のマウスピース。
【請求項１７】
１以上の前記壁は保護壁であり、マウスピースの外部の小片は吸引および／または前記保護壁によって捕獲される請求項１に記載のマウスピース。
【請求項１８】
曲げることができる材料から構成される曲面で形成された歯科用マウスピースであって、
前記曲面の中央における本体部と、
前記本体部に接続された口角鉤部と、
真空吸引源に前記本体の内側部分を接続するための吸引コネクタ部であって、前記口角鉤部とは反対側の端部において前記本体部に接続された吸引コネクタ部と、
取り外し可能な開口器とを含み、
前記本体部は、前記曲面の内側の前壁、前記曲面の外側の後壁、及び前記前壁と前記後壁の間にある側壁を有する所定のポケットを備え、前記前壁、前記後壁、及び前記側壁は、前記所定のポケットの内側部分を画定し、
前記口角鉤部は、当該歯科用マウスピースが曲げられたときに圧力を加える表面を有し、前記圧力は前記曲げることができる材料の弾性にもとづき、
前記取り外し可能な開口器は、前記吸引コネクタ部の周囲に嵌合するように構成されたストラップを含み、前記吸引コネクタ部の外面は前記ストラップに対応する切り欠き領域を含み、前記ストラップが前記切り欠き領域に位置するとき、前記ストラップの外面は前記吸引コネクタ部の残りの外表面とほぼ同一平面にあることを特徴とする歯科用マウスピース。
【請求項１９】
前記側壁が複数の穿孔を含む請求項１８に記載のマウスピース。
【請求項２０】
前記前壁及び後壁のそれぞれが複数の穿孔を含む請求項１８に記載のマウスピース。
【請求項２１】
前記前壁はさらに中心軸に沿ったスリットを含む請求項１８に記載のマウスピース。
【請求項２２】
前記後壁の内面から突出する安定バーをさらに含み、前記安定バーの厚さは、当該歯科用マウスピースの曲げ時に安定性を強化する請求項１８に記載のマウスピース。
【請求項２３】
前記本体部、前記口角鉤部、及び前記吸引コネクタ部が一体に射出成形される請求項１８に記載のマウスピース。
【請求項２４】
前記材料は、高圧蒸気滅菌処理可能であるシリコーン系材料である請求項１８に記載のマウスピース。
【請求項２５】
前記後壁の内面から突出したブリッジ構造をさらに含み、突出した前記ブリッジ構造は、吸引時に前記前壁を前記後壁から分離された状態に保つ離間した複数の接触点を備える請求項１８に記載のマウスピース。
【請求項２６】
前記ブリッジ構造は波形状に前記後壁の内面から突出しており、前記離間した複数の接触点は前記波形の頂部にある請求項２５に記載のマウスピース。
【請求項２７】
前記波形の谷部は、前記ブリッジ構造を通して吸引を可能にする請求項２６に記載のマウスピース。
【請求項２８】
前記吸引コネクタ部は、前記真空吸引源またはバキュームアダプタの位置決めを支援するための内部留め具を含む請求項１８に記載のマウスピース。
【請求項２９】
前記ストラップおよび前記開口器の他の部分は一体射出成形される請求項１８に記載のマウスピース。
【請求項３０】
前記吸引コネクタ部はさらに、前記開口器の開口部に対応した外部プラグ突起部を含む請求項１８に記載のマウスピース。
【請求項３１】
前記プラグ突起部は、さらなる破砕耐性を提供し、圧縮性を低下させるために前記開口部に嵌合する請求項３０に記載のマウスピース。
【請求項３２】
前記吸引コネクタ部は、連結嵌合のためにバキュームアダプタ上の突出部に対応する切欠部を含む請求項１８に記載のマウスピース。
【請求項３３】
前記前壁及び前記後壁は異なる厚さを有する請求項１８に記載のマウスピース。
【請求項３４】
前記本体部は、第１端部において前記吸引コネクタ部と接続されるベース部と、前記ベース部の前記第１端部とは反対にある前記ベース部の第２端部に接続される口角鉤コネクタ部とを含み、
前記口角鉤コネクタ部は前記ベース部よりも狭く、前記口角鉤部は前記口角鉤コネクタ部において前記本体部と接続する請求項１８に記載のマウスピース。
【請求項３５】
１以上の前記壁は保護壁であり、マウスピースの外部の小片は吸引および／または前記保護壁によって捕獲される請求項１８に記載のマウスピース。
【発明の詳細な説明】
【技術分野】
【０００１】
本発明は、一般に歯科マウスピースの分野に関する。より具体的には、本発明は、口腔内歯科用吸引及び分離マウスピースに関する。
【背景技術】
【０００２】
現在、様々なマウスピースが歯科の分野において歯科医療従事者、歯科衛生士、および歯科助手によって使用されている。過去、歯科患者は歯科専門家と歯科助手を含む従来2人のチームによって治療されてきた。さらに、そのチームは多くの異なる種類の歯科用機器および用具を使用して歯科治療を提供することもある。このような歯科用機器および道具は口腔内ミラー、咬合阻止器、低速吸引排出器、高速吸引排出器、ガーゼ、コットンロール、ドライアングルなどのアイテムを含む。あるアイテムはいくつかのタイプの歯科サービスの組み合わせで使用することもできるが、歯科用機器の各アイテムを異なる目的のために使用してもよい。このように、このような歯科サービスを提供しようとする歯科専門家は、歯科用機器の複数のアイテムを使用する必要がある。したがって、歯科助手の重要な役割は、さまざまな機器や道具のこれらの複数のアイテムの使用を調整する際に歯科専門家を支援することである。
【発明の概要】
【発明が解決しようとする課題】
【０００３】
したがって、より効率的で快適で安全な方法で歯科患者に歯科サービスを提供する改善されたシステム及び方法に対する必要性が当該技術分野に存在する。
【課題を解決するための手段】
【０００４】
本発明の実施の形態は、歯科処置時にチェアサイドでハンズフリーの吸引・分離により歯科スタッフを支援するために高吸引歯科用アダプタに取り付けられるマウスピースを含んでもよい。このようなマウスピースは、本体部、口角鉤部、及び吸引コネクタ部を含んでもよい。いくつかの実施の形態では、本体部、口角鉤部、及び吸引コネクタ部（及びそのサブ部分）は、好ましくは、射出成形によって一体に成形してもよい。典型的な実施の形態では、マウスピースは、可撓性があり、半透明で、射出成形に向いており、高耐熱性で、高圧蒸気滅菌処理（オートクレーブ）可能である材料で作ってもよい。このような材料にはシリコーンが含まれる。マウスピースを高い耐熱性及び高圧蒸気滅菌処理可能な材料で作ることができるため、そのようなマウスピースは再利用可能である。
【０００５】
本体部は、前壁、後壁、および前壁と後壁の間にある側壁で構成された囲まれたポケットを備えていてもよい。側壁は穿孔されて、複数の穿孔を有してよい。このような複数の穿孔は、メッシュを構成してもよい。前壁および後壁の上に付加的な穿孔を配置してもよい。本体部はさらに、前壁上に長手方向の中心軸に沿ったスリットを含んでもよい。このような開口部（例えば、穿孔とスリット）により、患者の口から開口部を介して内部に、さらに吸引源に向かって吸引コネクタ部へと空気、流動物、および小片（ゴミ）を吸引することができる。マウスピースは、可撓性があり弾力性のある材料（例えば、シリコーン）で形成されているため、患者の口の中に置かれたとき、口の形状に適合するようにマウスピースを曲げることができる。正しく配置されると、吸引コネクタ部が患者の口の片側から突出する一方、本体が患者の口の奥に対して位置し、口角鉤部が患者の口の反対側で患者の頬を押圧する。
【０００６】
本体はさらに後壁の内面に突出したブリッジ構造を含んでもよい。このようなブリッジ構造は、頂部と谷部を有する波形で内面から突出していてもよい。頂部は、吸引中に前壁を後壁から分離された状態に保つために前壁と接触する複数の接触点を与える。一方、谷部は、ブリッジ構造を通って空気、流動物、および小片を吸引することを可能にする隙間を与える。
【図面の簡単な説明】
【０００７】
【図１Ａ】取り外し可能な開口器を有する典型的なマウスピースの斜視図である。
【図１Ｂ】図１Ａの典型的なマウスピースおよび取り外し可能な開口器の上面図である。
【図１Ｃ】図１Ａの典型的なマウスピースおよび取り外し可能な開口器の底面図である。
【図１Ｄ】図１Ａの典型的なマウスピースおよび取り外し可能な開口器の側面図である。
【図１Ｅ】図１Ａの典型的なマウスピースおよび取り外し可能な開口器の断面図である。
【図２Ａ】取り外し可能な開口器が取り外された図１Ａの典型的なマウスピースの斜視図である。
【図２Ｂ】図２Ａの典型的なマウスピースの上面図である。
【図２Ｃ】図２Ａの例示的なマウスピースの底面図である。
【図２Ｄ】図２Ａの例示的なマウスピースの側面図である。
【図２Ｅ】図２Ａの例示的なマウスピースの断面図である。
【図３Ａ】典型的な開口器の正面図である。
【図３Ｂ】図３Ａの典型的な開口器の背面図である。
【図３Ｃ】図３Ａの典型的な開口器の底面図である。
【図３Ｄ】図３Ａの典型的な開口器の斜視図である。
【図３Ｅ】図３Ａの典型的な開口器の側面図である。
【図３Ｆ】図３Ａの典型的な開口器の上面図である。
【図４】典型的なマウスピースにおける典型的なメッシュ側面の拡大図である。
【図５】典型的なマウスピースにおける内部ブリッジの拡大図である。
【図６Ａ】典型的なマウスピースにおける典型的な補強バーの拡大図である。
【図６Ｂ】図６Ａの例示的な補強バーの断面図である。
【図７Ａ】典型的なマウスピースにおける典型的な口角鉤部の拡大図である。
【図７Ｂ】図７Ａの典型的な口角鉤部の断面図である。
【発明を実施するための形態】
【０００８】
本発明の実施の形態は、本体部、口角鉤部、及び吸引コネクタ部を含むマウスピースを提供する。いくつかの実施の形態では、本体部、口角鉤部、及び吸引コネクタ部（及びそのサブ部分）は、好ましくは、射出成形によって一体に成形してもよい。典型的な実施の形態では、マウスピースは、可撓性があり、半透明で、射出成形に向いており、高耐熱性で、高圧蒸気滅菌処理（オートクレーブ）可能である材料から作ってもよい。このような材料にはシリコーンが含まれる。マウスピースを高い耐熱性及び高圧蒸気滅菌処理可能な材料で作ることができるため、そのようなマウスピースは再利用可能である。
【０００９】
図１Ａ−図１Ｅは、取り付け可能開口器（マウス・プロップ）１６０を有する典型的なマウスピースの様々な図である。図２Ａ−図２Ｅは、取り付け可能開口器１６０が取り外された図１Ａの典型的なマウスピースの様々な図である。このようなマウスピースは、本体部１１０、吸引コネクタ部１２０、および口角鉤（チーク・リトラクタ）部１３０を含んでもよい。
【００１０】
本体部１１０は、メッシュまたは穿孔１４０、安定バー１５０、開スリット１７０、および内部ブリッジ１８０を含んでもよい。本体部１１０は、一端で吸引コネクタ部１２０に、他端で口角鉤部１３０に接続されてもよい。このような口角鉤部１３０は、患者の頬を押圧し、患者の頬を患者の歯から後退させるように構成されてもよい。患者の口の中に置かれたとき、吸引コネクタ部１２０が患者の口の片側から突出する一方、本体部１１０は患者の口の奥に対して位置し、口角鉤部１３０が患者の口の反対側にある患者の頬を後退させてもよい。マウスピースを形成するために使用される材料には可撓性があるため、マウスピースは患者の口の中に置かれたときに曲がることが可能である。しかしながら、この材料は十分に弾性があるため、口角鉤部が患者の頬の内側に対して押圧し、その圧力は頬を患者の歯から離れさせるのに十分である。
【００１１】
典型的な本体部１１０は、口の中に配置されたとき、口の正面に面する前壁（例えば、スリット１７０がある側）と、口の奥に面する後壁を含んでもよい。これら二つの壁は上壁と下壁においてつながり、少なくとも部分的に封入される本体を形成してもよい。
【００１２】
「上」とは、患者の口の中に置かれたとき、口の屋根に当接する側を指すためにここでは使用され、「下」とは、患者の口の床面に当接する側を指すために使用される。上側および下側を同じように形成してもよく、それにより、マウスピースは、新しい向きにおいて上側が下側として現れる、あるいはその逆になるように向きを変更することが可能である。使用時に、本体部１１０の各辺は、口の上部および口／舌の底部を保護し、分離する働きをしてもよい。また、本体部１１０は、落下する小片（ゴミ）から口の奥（例えば、咽喉及び気道）を保護する働きをしてもよい。
【００１３】
マウスピースの本体部１１０の大部分は、その根元が一般に患者の口の口腔内形状に適合する直線の矢じりまたは盾として成形される。大人と子どもの異なる大きさの口に対して、異なるサイズのマウスピースを提供してもよい。矢じりの根元側の部分は、本体の残りの部分よりも厚い壁で形成されてもよい。このように厚くすることによりさらなる安定性を提供することができる。
【００１４】
また、マウスピースの本体部１１０は、口腔からの水、唾液、およびゴミの吸引を補助するために前方壁および後方壁の上側および下側の辺に沿って分布する複数の孔１４０を含んでもよい。いくつかの実施の形態では、孔の集合が、上側および下側の縁の壁に沿ったメッシュを形成してもよい。図４は、典型的なマウスピースにおける典型的なメッシュ壁の拡大図である。
【００１５】
口角鉤部１３０に接続する矢じりの狭い端部において、本体部１１０は、矩形状の部分を含んでもよい。矩形部は矢じりの根元よりも狭く、矩形部はさらに補強バー（または安定バー）１５０（以下でさらに詳細に説明する）を含んでもよく、矩形部は、本体部１１０のポケットの内部へのスリット１７０（以下でさらに詳細に説明する）と少なくとも部分的に交差してもよい。
【００１６】
安定バー１５０は、突起物さもなければ厚くなった領域であってもよく、これは矩形部分の安定性を強化し、この領域を患者の口の口腔内後部形状に成形するのに役立つ。図６Ａは、典型的なマウスピースの典型的な安定バー１５０の拡大図である。図６Ｂは、図６Ａの口角鉤部における典型的な補強バーの断面図である。
【００１７】
いくつかの実施の形態では、内部の矩形状の補強または安定バー１５０は、内部の波状ブリッジ構造１８０に遠位で配置され、本体と矩形部の後面の内側の両方に取り付けられてもよい。配置されたマウスピースが最も後方の下顎歯の舌側から始まり、最も後方の歯の先端側の周囲、さらに最も後方の下顎歯の前方側までを包む領域にこのような安定バー１５０を配置してもよく、これにより、マウスピースを患者の口の一般的な口腔内形状に成形するのを助けることができる。
【００１８】
マウスピースの様々な実施の形態はさらに、その前面に本体のおよそ三分の二に亘る長手方向の開スリット１７０を含んでもよい。スリット１７０は本体の中心に沿って矩形部および矢じりのほとんどを横切るものであり、このようなスリット１７０は、水や唾液、ゴミを捕獲し、吸引するのを助けるだけでなく、クリーニングやメンテナンスの手助けにもなる。
【００１９】
また、マウスピースの本体は、吸引中に前面と後面が分離した状態にとどまることを確実にするために、内面にブリッジ構造１８０を含んでもよい。図１Ｅは、ブリッジ構造１８０が図示されたマウスピースの断面図である。図５は、本体部の周囲壁のないブリッジ構造１８０の拡大図である。このようなブリッジ構造１８０は、前壁と後壁の間の距離（例えば１ミリメートル以内）に一般的に対応する波状突起として形成されてもよく、その波の頂部において実質的にその距離全体まで上がり、その谷部において実質的に表面と同一平面まで落ちる。いくつかの実施の形態では、ブリッジ構造１８０は、マウスピースの本体部１１０の中央に配置されてもよい。ブリッジ構造１８０の波と波の間のギャップ（または谷）は、吸引コネクタ部１２０および最終的には中央の吸引バキュームに水と唾液を吸引駆動で転送するのを助ける。いくつかの実施の形態では、ブリッジ構造１８０は、ロゴ（例えば、矢じりまたはシールド）の形状に従ってもよい。
【００２０】
吸引コネクタ部１２０は楕円形状であってもよく、また、本体部１１０に取り付けてもよい。吸引コネクタ部１２０は、本体部１１０よりも厚い壁で形成され、高吸引バキュームアダプタに取り付けられ、口腔から水、唾液、およびゴミを除去するために外部アダプタに転送するのを補助するように構成されてもよい。吸引コネクタ部１２０はまた、所望の深さまで当該アダプタにマウスピースをスライドさせるのを補助するための内部留め具を含んでもよい。吸引コネクタ部１２０はさらに外部の凹の切り欠き領域２１０を有してもよい。この切り欠き領域２１０は取り外し可能なストラップに対応しており、ストラップが所定の位置にあるとき、ストラップの外壁とコネクタ部の残りの部分が同一平面になるように構成される。
【００２１】
口角鉤部１３０は、本体部１１０に取り付けることができるハンマーヘッド先端領域として図示されている。図７Ａは、典型的なマウスピースでの典型的な口角鉤部１３０の拡大図である。図７Ｂは、図７Ａの典型的な口角鉤部１３０の断面図である。
【００２２】
図１Ａ〜図１Ｅ（開口器１６０付き）および図２Ａ〜図２Ｅ（開口器１６０無しで図示）に示すようにマウスピースは開口器１６０と共に使用してもよい。図３Ａ〜図３Ｅは典型的な開口器１６０の様々な拡大図である。患者の口腔および歯を開けたままにするために使用される開口器１６０に取り外し可能ストラップ３１０を取り付けてもよい。この点で、吸引コネクタ部１２０はさらに吸引コネクタ部１２０の後方側から突出する外部プラグ２２０（図２Ｃ）を有してもよい。このようなプラグ２２０は、開口器１６０の開口部に対応し、開口部に接続するように機能してもよい。開口器１６０は開口部にプラグ２２０が存在することによって補強されてもよく、これによって、より破砕耐性があり、ほぼ非圧縮であり、安定した開口器１６０がもたらされる。いくつかの実施の形態では、吸引コネクタ部１２０はさらに切欠部２３０（例えばそれをロゴとして成形してもよい）を有し、切欠部２３０が外部の高吸引バキュームアダプタ上の対応する突起（たとえばそれもまたロゴとして成形してもよい）との連結を追加で提供してもよい。
【００２３】
開口器１６０は、吸引コネクタ部の周囲に対応する弾性ストラップをもたせて一体的に厚いシリコーン材料の射出成形により作られてもよい。開口器１６０は、マウスピースの吸引コネクタ部１２０の外部の矩形オス型プラグ２２０にぴったりと合うように設計された、内部の矩形メス型スロットを有する。開口器は、様々な大きさの口のために様々なサイズで作られてもよい。開口器及びマウスピースは互いに着脱可能であるため、特定の患者の口に対する必要に応じて、各々を様々なサイズで混合して合わせることができる。
【００２４】
ここに記載されるマウスピースは、一体成形の高圧蒸気滅菌処理（オートクレーブ）可能で高吸引のバキュームアダプタとともに使用することができる。このような高吸引バキューム本体アダプタは単一の均質な材料で作られてもよい。そのようなバキュームアダプタは、単一レバー設計であり、水、唾液、およびゴミを口腔から外部バキューム源へ除去するのを制御する際、現在のすべての高吸引バキューム吸引器及び唾液エジェクタと同様に機能することができる。単一レバーは、少なくとも部分的に囲まれた本体から吸引コネクタ部内の単一の大きな排気管を通して水、唾液、およびゴミを除去するのを制御するように設計されてもよい。
【００２５】
様々な実施の形態を説明したが、これらの実施の形態は例としてのみ提示されており、限定するものではないことが理解されるべきである。説明は、本明細書に記載された特定の形態に本発明の範囲を限定するものではない。したがって、好ましい実施の形態の広さおよび範囲は、上述の例示的な実施の形態のいずれによっても限定されるべきではない。なお、上記の説明は例示であって制限的なものではないことを理解すべきである。反対に、本説明は、添付の特許請求の範囲によって定義され、そうでなければ当業者によって理解されるように、本発明の趣旨および範囲に含まれるような代替、修正、および均等物を包含することを意図する。従って、本発明の範囲は上記の説明を参照して決定されるべきではなく、添付の特許請求の範囲及びそれらの均等物の全範囲を参照して決定されるべきである。
【要約】
【解決手段】歯科処置時にチェアサイドでハンズフリーの吸引・分離により歯科スタッフを支援するために高吸引歯科用アダプタに取り付けられるマウスピースを提供する。マウスピースは、本体部、口角鉤部及び吸引コネクタ部を含む。実施の形態では、本体部、口角鉤部及び吸引コネクタ部（及びそのサブ部分）は、好ましくは射出成形によって一体に成形される。典型的な実施の形態では、マウスピースは、可撓性があり、半透明で、射出成形に向いており、高耐熱性で、高圧蒸気滅菌処理可能である材料で作ってもよい。このような材料にはシリコーンが含まれる。マウスピースを高い耐熱性及び高圧蒸気滅菌処理可能な材料で作ることができるため、マウスピースは再利用可能である。
【選択図】図４【図１Ａ】
0005961328.tif 000002
【図１Ｂ】
0005961328.tif 000003
【図１Ｃ】
0005961328.tif 000004
【図１Ｄ】
0005961328.tif 000005
【図１Ｅ】
0005961328.tif 000006
【図２Ａ】
0005961328.tif 000007
【図２Ｂ】
0005961328.tif 000008
【図２Ｃ】
0005961328.tif 000009
【図２Ｄ】
0005961328.tif 000010
【図２Ｅ】
0005961328.tif 000011
【図３Ａ】
0005961328.tif 000012
【図３Ｂ】
0005961328.tif 000013
【図３Ｃ】
0005961328.tif 000014
【図３Ｄ】
0005961328.tif 000015
【図３Ｅ】
0005961328.tif 000016
【図３Ｆ】
0005961328.tif 000017
【図４】
0005961328.tif 000018
【図５】
0005961328.tif 000019
【図６Ａ】
0005961328.tif 000020
【図６Ｂ】
0005961328.tif 000021
【図７Ａ】
0005961328.tif 000022
【図７Ｂ】
0005961328.tif 000023